(57)【要約】      （修正有）【課題】作業者が雨衣を着用した状態のままでも、そのフードをすばやく折りたたみ拘束できる雨衣を提供する。【解決手段】身頃１０とフード１１との縫合線Ｌ１上又はその縫合線Ｌ１よりもやや下方に位置する面ファスナー１６ａを、後身頃１０ｂの表面に縫い付ける。フード用結束紐１７の基端部を身頃１０とフード１１との縫合線Ｌ１上に縫い付けると共に、その基端部から後身頃１０ｂの裏面に沿って垂れ下がる結束紐１７の先端部に、後身頃１０ｂ側の面ファスナー１６ａと絡らみ付き結合できる面ファスナー１６ｂを縫い付ける。身頃１０から内向きに連続して巻き曲げる如く折りたたんだフード１１を、後身頃１０ｂ側の面ファスナー１６ａに対する結束紐側の面ファスナー１６ｂの絡らみ付き結合によって包み込む状態に拘束する。【選択図】図３
0003171992.tif 000002
【実用新案登録請求の範囲】
【請求項１】
身頃とフードとの縫合線上又はその縫合線よりもやや下方に位置する面ファスナーを、後身頃の表面に縫い付ける一方、
フード用結束紐の基端部を上記身頃とフードとの縫合線上に縫い付けると共に、その基端部から後身頃の裏面に沿って垂れ下がる結束紐の先端部に、上記後身頃側の面ファスナーと絡らみ付き結合できる面ファスナーを縫い付けて、
上記身頃から連続して内向きに巻き曲げる如く折りたたんだフードを、上記後身頃側の面ファスナーに対する結束紐側の面ファスナーの絡らみ付き結合によって包み込む状態に拘束することを特徴とするパーカ型雨衣のフード折りたたみ構造。
【請求項２】
後身頃側の面ファスナーを雄側の面ファスナーとし、結束紐側の面ファスナーを雌側の面ファスナーとして設定したことを特徴とする請求項１記載のパーカ型雨衣のフード折りたたみ構造。
【請求項３】
後身頃の裏面又はその裏面を覆う状態に縫い付けられた形崩れ防止用メッシュへ、織ネームをその中央部だけがトンネルとなる浮き上がり状態に縫い付けて、
フード用結束紐をその織ネームのトンネル内へ通し込むことにより、自由に振れ動かぬ垂れ下がり状態に保ったことを特徴とする請求項１記載のパーカ型雨衣のフード折りたたみ構造。
【考案の詳細な説明】
【技術分野】
【０００１】
本考案はパーカ型雨衣のフード折りたたみ構造に係り、殊更屋外での作業者が雨衣を着用した状態のままでも、そのフードをすばやく折りたたみ拘束できるように工夫したものである。
【背景技術】
【０００２】
フードを収納できる防水性の衣服（雨衣）については、下記特許文献１〜３に開示されているが、その何れもパーカ型のそれではなく、本考案の対象と異なる。パーカ型雨衣には襟部がなく、身頃からフードが連続一体に延長しているため、その被らない場合のフード収納部を形成することができない。
【０００３】
この点、図９〜１２のようなフード折りたたみ構造を備えたパーカ型雨衣が、特に現在登山者向けの有用品として市販されている。
【０００４】
上記パーカ型雨衣の折りたたみ構造では、雌雄一対の面ファスナー（１ａ）（１ｂ）が先端部に縫い付けられたフード用結束紐（２）の基端部を、フード（３）の後頭部に相当する内面位置へ防水パッチ（４）を介して固着する一方、同じくフード（３）の頭頂部に相当する内面位置へ係止バンド（５）を固着し、その係止バンド（５）へ下方から上向きに通し込んだ上記結束紐（２）の先端部を折り返して、その面ファスナー（１ａ）（１ｂ）同士を絡らみ付けることにより、図９、１０のような上記係止バンド（５）への巻き付け状態に保っている。（６）は上記結束紐（２）における基端部の固着位置とほぼ同じ高さとして、やはりフード（３）の後頭部に相当する外面へ縫い付けられた雨衣用吊り下げバンド、（Ｌ）は雨衣の身頃（７）と上記フード（３）との縫合線、（８）はその身頃（７）に固着された織ネームである。
【０００５】
そして、上記雨衣のフード（３）を被らない場合には、そのフード（３）が風力を受けてバタツキ遊動したり、その上向き開口するフード（３）の内部に雨水が浸入・滞溜したりしないように、上記係止バンド（５）に対する結束紐（２）の巻き付け状態を解除した後、図１１、１２のように、フード（３）を内向き連続的に巻き曲げる如く折りたたむと共に、上記吊り下げバンド（６）へ上方から下向きに通し込んだ結束紐（２）の先端部を折り返し、その面ファスナー（１ａ）（１ｂ）同士を絡らみ付けて、上記吊り下げバンド（６）へ巻き付けた結束紐（２）により、上記フード（３）の小型コンパクトなスタンドカラー風折りたたみ状態を包み込み拘束するようになっている。
【先行技術文献】
【特許文献】
【０００６】
【特許文献１】実用新案登録第３０３６８００号公報
【特許文献２】特開２００３−１３８４０６号公報
【特許文献３】特開２００３−３１３７０６号公報
【考案の概要】
【考案が解決しようとする課題】
【０００７】
ところが、上記市販品のフード折りたたみ構造では、そのフード（３）を折りたたむ際、係止バンド（５）に対する結束紐（２）の巻き付け状態を、その面ファスナー（１ａ）（１ｂ）同士の剥離により解除する操作と、その後結束紐（２）の先端部を別な高さ位置にある雨衣用吊り下げバンド（６）へ通し込んで、面ファスナー（１ａ）（１ｂ）同士の絡らみ付けにより、その吊り下げバンド（６）へ巻き付ける操作とを行わなければならず、甚だ煩雑・面倒であり、雨衣を一旦脱いだ状態において、そのフード（３）の上記折りたたみ操作を行うのであればともかく、雨衣を着用した状態のままで、しかも片手でのワンタッチ操作式にすばやくフード（３）を折りたたみ拘束することは到底不可能であり、不自然な姿勢を強要されることになる。
【０００８】
この点、屋外での作業者は労働環境に応じて帽子やヘルメットなどを着用しなければならず、そのフードを被ることができない状態での作業中に、急な降雨や降雪、強風などを受けた場合、片手操作での容易にすばやくフードを折りたたみ拘束したいところ、上記登山者向けパーカ型雨衣のフード折りたたみ構造では、このような要請に応じることができず、不便でもある。
【課題を解決するための手段】
【０００９】
本考案はこのような課題の改良を目的としており、その目的を達成するために、請求項１では身頃とフードとの縫合線上又はその縫合線よりもやや下方に位置する面ファスナーを、後身頃の表面に縫い付ける一方、
【００１０】
フード用結束紐の基端部を上記身頃とフードとの縫合線上に縫い付けると共に、その基端部から後身頃の裏面に沿って垂れ下がる結束紐の先端部に、上記後身頃側の面ファスナーと絡らみ付き結合できる面ファスナーを縫い付けて、
【００１１】
上記身頃から連続して内向きに巻き曲げる如く折りたたんだフードを、上記後身頃側の面ファスナーに対する結束紐側の面ファスナーの絡らみ付き結合によって包み込む状態に拘束することを特徴とする。
【００１２】
又、請求項２では後身頃側の面ファスナーを雄側の面ファスナーとし、結束紐側の面ファスナーを雌側の面ファスナーとして設定したことを特徴とする。
【００１３】
更に、請求項３では後身頃の裏面又はその裏面を覆う状態に縫い付けられた形崩れ防止用メッシュへ、織ネームをその中央部だけがトンネルとなる浮き上がり状態に縫い付けて、
【００１４】
フード用結束紐をその織ネームのトンネル内へ通し込むことにより、自由に振れ動かぬ垂れ下がり状態に保ったことを特徴とする。
【考案の効果】
【００１５】
請求項１の上記構成によれば、パーカ型雨衣における身頃とフードとの縫合線上から後身頃の裏面に沿って垂れ下がるフード用結束紐の先端部（下端部）に、面ファスナーが縫い付けられている一方、その結束紐側の面ファスナーと雌雄一対をなす面ファスナーが、後身頃の表面に縫い付けられており、その面ファスナー同士を押圧操作すれば足りるため、雨衣の着用者が着用中でも自分の両手を使って、フードを内向き連続的に巻き曲げる如く折りたたんだ後、首から背中への下向きに差し入れた片手で、上記垂れ下がり状態にある結束紐を引き上げ、外向き（表向き）に廻し下げて、その結束紐側の面ファスナーを後身頃側の面ファスナーへ絡らみ付き結合させることにより、上記折りたたみ状態のフードをすばやく確実に拘束することができ、不慮に展開しないスタンドカラー風の好体裁に保てる効果がある。
【００１６】
特に、請求項２の構成を採用するならば、結束紐側の面ファスナーがその絡らみ付き力の比較的弱い（柔らかい）雌の面ファスナーとして、後身頃側の面ファスナーがその絡らみ付き力の比較的強い（硬い）雄の面ファスナーとして関係設定されているため、身頃とフードとの縫合線上から垂れ下がる状態にある結束紐側の面ファスナーが、雨衣着用者の背中と接触する方向性に縫い付けられているとしても、その絡らみ付き力の弱さ（柔らかさ）によって、背中に痛みなどの違和感を与えるおそれがなく、快適に着用できる効果がある。
【００１７】
更に、請求項３の構成を採用するならば、身頃とフードとの縫合線上から垂れ下がる状態にある結束紐が、その織ネームのトンネル内へ通し込まれることによって、自由自在に振れ動いたり、折れ曲がったりしないため、やはり快適な着用状態を得られるほか、フード折りたたみ時に必要となる結束紐の引き上げ操作を容易・円滑に行える効果もある。
【図面の簡単な説明】
【００１８】
【図１】本考案に係るパーカ型雨衣の要部を示す正面図である。
【図２】図１の背面図である。
【図３】図１の前身頃を開いて示す正面図である。
【図４】図３の４−４線に沿う拡大断面図である。
【図５】図４からフードを折り曲げる過程の断面図である。
【図６】図５から連続してフードを折り曲げた状態の断面図である。
【図７】図６の折り曲げたフードを拘束した状態の断面図である。
【図８】図７の後方から見た背面図である。
【図９】従来のパーカ型雨衣を示す図３に対応する正面図である。
【図１０】図９の１０−１０線に沿う拡大断面図である。
【図１１】図１０から折り曲げたフードを拘束した状態の図７に対応する断面図である。
【図１２】図１１の後方から見た背面図である。
【考案を実施するための形態】
【００１９】
以下、図面に基いて本考案の好適な実施形態を詳述すると、パーカ型雨衣（上着）を示した図１〜４において、（１０）はその雨衣（上着）の前身頃（１０ａ）と後身頃（１０ｂ）を含む身頃の総称であり、これにはフード（１１）と左右一対の袖（１２）とが各々縫い付けられている。（Ｌ１）はその身頃（１０）とフード（１１）との縫合線、（Ｌ２）は同じく身頃（１０）と各袖（１２）との縫合線を示している。
【００２０】
上記身頃（１０）とフード（１１）並びに両袖（１２）はすべて同じポリエステルやナイロンなどの合成繊維を基布とし、その基布の表面には撥水性が与えられている一方、同じく基布の裏面には塩化ビニール樹脂コーティングやウレタンコーティング又はラミネートなどの防水性が与えられているほか、形崩れ防止と通気性を与えるためのメッシュ（１３）も縁取り状態に縫い付けられている。
【００２１】
（１４ａ）（１４ｂ）は前身頃（１０ａ）の召し合わせ部に点在分布する雌雄一対づつの開閉用ホック、（１５ａ）（１５ｂ）は同じく召し合わせ部に列設された開閉用のスライドファスナー、（１６ａ）は後身頃（１０ｂ）の表面に縫い付けられた面ファスナー（商品名：マジックテープ（登録商標））であって、上記身頃（１０）とフード（１１）との縫合線（Ｌ１）上又はその縫合線（Ｌ１）よりもやや下方に位置しており、フード用結束紐（１７）の先端部に対応位置する面ファスナー（１６ｂ）との雌雄一対をなす。
【００２２】
フード用結束紐（１７）は後述の巻き曲げ状態に折りたたんだフード（１１）を拘束できる一定長さの平帯形態であって、その基端部が上記身頃（１０）とフード（１１）との縫合線（Ｌ１）上へ一緒に縫い付けられており、上記メッシュ（１３）を貫通し、後身頃（１０ｂ）の裏面に沿って垂れ下がることとなる。（１８）はその縫合線（Ｌ１）上に沿って裏側から固着された防水テープであり、補強機能も兼備している。尚、後身頃（１０ｂ）の裏面を覆う状態となる上記メッシュ（１３）は、その設置の省略されることもある。
【００２３】
そして、上記結束紐（１７）側の面ファスナー（１６ｂ）はその結束紐（１７）の先端部へ、着用者の背中と接触する方向性に縫い付けられており、上記後身頃（１０ｂ）側の面ファスナー（１６ａ）と絡らみ付き結合されることになる。
【００２４】
その場合、雌雄一対をなす面ファスナー（１６ａ）（１６ｂ）のうち、その絡らみ付き力の比較的強い（硬い）雄側の面ファスナー（１６ａ）が後身頃（１０ｂ）の表面に、同じく絡らみ付き力の比較的弱い（柔らかい）雌側の面ファスナー（１６ｂ）が結束紐（１７）の先端部に各々縫い付けられており、その雌側の面ファスナー（１６ｂ）によって着用者の背中に痛みなどの違和感を与えぬようになっている。
【００２５】
更に、（１９）は上記後身頃（１０ｂ）の表面に存在する雄側面ファスナー（１６ａ）の真下に対応する位置関係として、その後身頃（１０ｂ）の裏面又はこれを覆う上記メッシュ（１３）へ、中央部だけがトンネル（２０）となる浮き上がり状態に縫い付けられた織ネームであり、その中央部のトンネル（２０）内へ上記結束紐（１７）を上方から下向きに通し込むことによって、その結束紐（１７）の就中先端部を自由に振れ動かぬ垂れ下がり状態に保つことができるようになっている。
【００２６】
そのため、雨衣を着用しての作業中、その結束紐（１７）の垂れ下がり位置が変ってしまったり、折れ曲がり状態になったりするおそれはないが、上記織ネーム（１９）のトンネル（２０）を無くして、結束紐（１７）を自然の垂れ下がり状態に放置してもさしつかえはない。
【００２７】
本考案に係る上記構成のパーカ型雨衣は、屋外での作業中における防水や防寒などのため、そのフード（１１）を図１〜４のような使用状態として被り着用することができるが、その作業中でも被ることができない場合のフード（１１）を、小型コンパクトに折りたたむに当っては、雨衣の着用者が自分の両手を使って、そのフード（１１）を図４から図５、６のように連続して内向きに巻き曲げる如く折りたたんだ後、上記後身頃（１０ｂ）の裏面に沿って未だ垂れ下がった状態にあるフード用結束紐（１７）を、着用者の首から背中への下向きに挿入した片手により、図６から図７のように上方へ引き抜き、先の折りたたみ状態にあるフード（１１）を包み込み拘束する如く外向き（表向き）に廻し下げて、その結束紐（１７）の先端部にある面ファスナー（１６ｂ）を後身頃（１０ｂ）側の面ファスナー（１６ａ）へ絡らみ付け結合すれば良い。
【００２８】
その際、結束紐（１７）側の面ファスナー（１６ｂ）を後身頃（１０ｂ）側の面ファスナー（１６ａ）へ押圧操作すれば足り、図９〜１２に基いて説明した市販品のように、係止バンド（５）に対する結束紐（２）の巻き付け状態を解除する操作と、その後別な吊り下げバンド（６）に対する結束紐（２）の巻き付け操作とを行う必要がないため、雨衣を着用した状態のままでも、しかも片手でのワンタッチ操作により、フード（１１）をすばやく確実に折りたたみ拘束できるのであり、緊急性や利便性に著しく優れる。
【００２９】
何れにしても、上記フード（１１）の折りたたみ状態がその結束紐（１７）により包み込み拘束される結果、強風を受けてバタツキ遊動したり、雨水が浸入・滞溜したり、まして不慮に展開したりするおそれはなく、図８のようなスタンドカラー風の好体裁な折りたたみ状態を確保できるのである。
【符号の説明】
【００３０】
（１０）・身頃
（１０ａ）・前身頃
（１０ｂ）・後身頃
（１１）・フード
（１２）・袖
（１３）・メッシュ
（１４ａ）（１４ｂ）・ホック
（１５ａ）（１５ｂ）・スライドファスナー
（１６ａ）（１６ｂ）・面ファスナー
（１７）・フード用結束紐
（１８）・防水テープ
（１９）・織ネーム
（２０）・トンネル
【図１】
0003171992.tif 000003
【図２】
0003171992.tif 000004
【図３】
0003171992.tif 000005
【図４】
0003171992.tif 000006
【図５】
0003171992.tif 000007
【図６】
0003171992.tif 000008
【図７】
0003171992.tif 000009
【図８】
0003171992.tif 000010
【図９】
0003171992.tif 000011
【図１０】
0003171992.tif 000012
【図１１】
0003171992.tif 000013
【図１２】
0003171992.tif 000014